(57)【要約】【課題】クリップの耐久性を高める。【解決手段】筆記具本体１に取り付けられたクリップ２は、実質的に移動及び弾性変形不能な不動クリップ部材３と、移動可能な可動クリップ部材４とを具備する。不動クリップ部材３は筆記具本体１に固定された後端部３ａから前端３ｂまで、筆記具本体１との間に物品収容空間５を形成しつつ延びる。可動クリップ部材４はＵ字状板バネ４ａから構成され、一方の枝状部４ａａは筆記具本体１に固定され、他方の枝状部４ａｂは物品収容空間５内に圧縮状態で配置される。物品収容空間５内に収容された物品を、Ｕ字状板バネ４ａ自体の付勢力でもって、これらＵ字状板バネ４ａと不動クリップ部材３との間に把持する。【選択図】図１
2008238663.tif 000002
【特許請求の範囲】
【請求項１】
実質的に移動及び弾性変形不能な不動クリップ部材を筆記具筒体との間に物品収容空間が形成されるよう筆記具筒体に取り付けると共に、移動可能な可動クリップ部材を該物品収容空間内に位置するよう筆記具筒体又は不動クリップ部材に取り付け、該可動クリップ部材を該不動クリップ部材に向け付勢して物品収容空間内に収容された物品をこれら可動クリップ部材と不動クリップ部材との間に把持するようにした筆記具用クリップ。
【請求項２】
可動クリップ部材自体の弾性でもって可動クリップ部材が不動クリップ部材に向け付勢されるようにした請求項１に記載の筆記具用クリップ。
【請求項３】
可動クリップ部材を板バネから構成し、該板バネの一方の枝状部を筆記具筒体又は不動クリップ部材に取り付けると共に、該板バネの他方の枝状部が不動クリップ部材に向け付勢されるように該他方の枝状部を物品収容空間内に配置した請求項２に記載の筆記具用クリップ。
【請求項４】
可動クリップ部材をＣ字状部材から構成し、該Ｃ字状部材の一対の自由端が物品収容空間内に位置するように該Ｃ字状部材を筆記具筒体の周囲に装着し、該Ｃ字状部材が不動クリップ部材から遠ざかる方向に移動されると、該Ｃ字状部材が筆記具筒体の周面に沿って拡開され、該Ｃ字状部材が復元しようとすることにより該Ｃ字状部材が不動クリップ部材に向け付勢されるようにした請求項２に記載の筆記具用クリップ。
【請求項５】
実質的に移動及び弾性変形不能な不動クリップ部材を筆記具筒体との間に物品収容空間が形成されるよう筆記具筒体に取り付けると共に、移動可能な可動クリップ部材を該物品収容空間内に位置するよう筆記具筒体又は不動クリップ部材に取り付け、該可動クリップ部材を筆記具筒体に向け付勢して物品収容空間内に収容された物品をこれら可動クリップ部材と筆記具筒体との間に把持するようにした筆記具用クリップ。
【請求項６】
可動クリップ部材自体の弾性でもって可動クリップ部材が不動クリップ部材に向け付勢されるようにした請求項５に記載の筆記具用クリップ。
【請求項７】
物品収容空間内に向けて開口する凹溝を不動クリップ部材に形成し、可動クリップ部材が筆記具筒体から遠ざかる方向に移動されたときに該可動クリップ部材の少なくとも一部が該凹溝内に収容されるようにした請求項５に記載の筆記具用クリップ。
【発明の詳細な説明】
【技術分野】
【０００１】
本発明は筆記具用クリップに関する。
【背景技術】
【０００２】
弾性を有するクリップ片の後端部を筆記具筒体に取り付け、クリップ片を筆記具筒体から遠ざかる方向に弾性変形させるとクリップ片が復元しようとすることにより、クリップ片の前端部に形成された玉部が筆記具筒体に向けて付勢され、それにより玉部と筆記具筒体との間に物品を把持するようにした筆記具用クリップが公知である（特許文献１参照）。
【０００３】
また、実質的に弾性変形不能なクリップ本体を筆記具筒体に揺動可能に取り付けると共に、クリップ本体の前端部に形成された玉部を筆記具筒体に向け付勢し、玉部と筆記具筒体との間に物品を把持するようにした筆記具用クリップも公知である。
【０００４】
【特許文献１】特開２００２−１９３８４号公報
【特許文献２】実開昭６３−１００２９２号公報
【発明の開示】
【発明が解決しようとする課題】
【０００５】
特許文献１のクリップではクリップ片が弾性変形することにより玉部が移動し、特許文献２のクリップではクリップ本体が揺動することにより玉部が移動する。すなわち、いずれのクリップでも可動部分が存在する。
【０００６】
しかしながら、これら可動部分は破損ないし故障の原因となりうる。しかも、筆記具用クリップの可動部分は筆記具の最も外側に位置しており、衝突、接触等により破損する可能性が更に高くなっている。
【０００７】
すなわち、筆記具の最も外側に可動部分ではなく硬質ないし頑丈な部材を配置してクリップを構成することが必要である。
【課題を解決するための手段】
【０００８】
１番目の発明によれば、実質的に移動及び弾性変形不能な不動クリップ部材を筆記具筒体との間に物品収容空間が形成されるよう筆記具筒体に取り付けると共に、移動可能な可動クリップ部材を該物品収容空間内に位置するよう筆記具筒体又は不動クリップ部材に取り付け、該可動クリップ部材を該不動クリップ部材に向け付勢して物品収容空間内に収容された物品をこれら可動クリップ部材と不動クリップ部材との間に把持するようにしている。
【０００９】
また、２番目の発明によれば１番目の発明において、可動クリップ部材自体の弾性でもって可動クリップ部材が不動クリップ部材に向け付勢されるようにしている。
【００１０】
また、３番目の発明によれば２番目の発明において、可動クリップ部材を板バネから構成し、該板バネの一方の枝状部を筆記具筒体又は不動クリップ部材に取り付けると共に、該板バネの他方の枝状部が不動クリップ部材に向け付勢されるように該他方の枝状部を物品収容空間内に配置している。
【００１１】
また、４番目の発明によれば２番目の発明において、可動クリップ部材をＣ字状部材から構成し、該Ｃ字状部材の一対の自由端が物品収容空間内に位置するように該Ｃ字状部材を筆記具筒体の周囲に装着し、該Ｃ字状部材が不動クリップ部材から遠ざかる方向に移動されると、該Ｃ字状部材が筆記具筒体の周面に沿って拡開され、該Ｃ字状部材が復元しようとすることにより該Ｃ字状部材が不動クリップ部材に向け付勢されるようにしている。
【００１２】
また、５番目の発明によれば、実質的に移動及び弾性変形不能な不動クリップ部材を筆記具筒体との間に物品収容空間が形成されるよう筆記具筒体に取り付けると共に、移動可能な可動クリップ部材を該物品収容空間内に位置するよう筆記具筒体又は不動クリップ部材に取り付け、該可動クリップ部材を筆記具筒体に向け付勢して物品収容空間内に収容された物品をこれら可動クリップ部材と筆記具筒体との間に把持するようにしている。
【００１３】
また、６番目の発明によれば５番目の発明において、可動クリップ部材自体の弾性でもって可動クリップ部材が不動クリップ部材に向け付勢されるようにしている。
【００１４】
また、７番目の発明によれば５番目の発明において、物品収容空間内に向けて開口する凹溝を不動クリップ部材に形成し、可動クリップ部材が筆記具筒体から遠ざかる方向に移動されたときに該可動クリップ部材の少なくとも一部が該凹溝内に収容されるようにしている。
【発明の効果】
【００１５】
クリップの耐久性を高めることができる。
【発明を実施するための最良の形態】
【００１６】
図１及び図２は本発明によるクリップを筆記具本体に取り付けた場合を示している。
【００１７】
図１及び図２を参照すると、１は筆記具本体、２は筆記具本体１の後端部に設けられたクリップを示す。ここで、筆記具本体１は例えばボールペン、シャープペン、万年筆、サインペン、蛍光ペン等から構成することができる。
【００１８】
クリップ２は不動クリップ部材３と可動クリップ部材４とを具備する。不動クリップ部材３はその後端部３ａが筆記具本体１に取り付けられ、この後端部３ａから筆記具本体１の長手軸線Ｌ−Ｌに概ね沿って、前端部又は自由端部３ｂまで延びている。この場合、不動クリップ部材３は筆記具本体１から離間しつつ延び、したがって不動クリップ部材３と筆記具本体１との間に物品収容空間５が形成され、不動クリップ部材３の前端部３ａと筆記具本体１との間に物品収容空間５の開口５ａが形成される。
【００１９】
ここで、不動クリップ部材３はその後端部３ａにおいて筆記具本体１に対し摺動、揺動、回転等ができないように固定され、すなわち実質的に移動不能に固定される。また、不動クリップ部材３は例えば硬質で肉厚の合成樹脂又は金属から製造され、したがって実質的に弾性変形できないように形成される。
【００２０】
一方、可動クリップ部材４は本発明による実施例では、Ｕ字状をなす一対の板バネ４ａから構成される。これらＵ字状板バネ４ａは弾性変形可能な例えば金属又は合成樹脂から製造される。各Ｕ字状板バネ４は一対の枝状部４ａａ，４ａｂを有しており、一方の枝状部４ａａは筆記具本体１のハウジング内に埋設されて固定され、他方の枝状部４ａｂは物品収容空間５内に圧縮状態で配置される。したがって、他方の枝状部４ａｂは不動クリップ部材３の物品収容空間５に対面する内面３ｃに当接し、斯くしてＵ字状板バネ４ａ自体の弾性でもって不動クリップ部材３に向け付勢される。なお、他方の枝状部４ａｂが不動クリップ部材３の内面３ｃに当接しなくてもよい。
【００２１】
図３に示されるように、物品収容空間５の開口５ａから物品Ａが挿入されると、他方の枝状部４ａｂが不動クリップ部材３から遠ざかる方向に弾性変形し、不動クリップ部材３に向かうＵ字状板バネ４ａの付勢力でもって、他方の枝状部４ａｂと不動クリップ部材３の内面３ｃとの間に物品Ａが把持される。
【００２２】
ここで、Ｕ字状板バネ４ａはその開口が後端側を向くように配置されており、このため他方の枝状部４ａｂによって筆記具本体１から不動クリップ部材３に向かう傾斜面が形成されている。このようにすると、物品Ａを他方の枝状部４ａｂと不動クリップ部材３の内面３ｃとの間に容易に導くことが可能となる。
【００２３】
このように、本発明による実施例では、筆記具の最も外側に位置する不動クリップ部材３が実質的に移動不能及び弾性変形不能であるので、クリップ２が破損する可能性を低減することができる。あるいは、不動クリップ部材３によって可動クリップ部材４を保護していると見ることもできる。
【００２４】
図４は可動クリップ部材４の別の実施例を示している。図４に示されるように、可動クリップ部材４は単一の平板状の板バネ４ｂから構成される。また、平板状板バネ４ｂの後端部４ｂａは不動クリップ部材３に固定され、平板状板バネ４ｂの前端部４ｂｂは不動クリップ部材３に対し付勢された状態で物品収容空間５内に配置される。なお、図４に示される例では、平板状板バネ４ｂの前端部４ｂｂに、不動クリップ部材３に向けて突出する凸部４ｂｃが形成される。この凸部４ｂｃは一般的なクリップの玉部と同様に、物品を確実に保持するのに寄与する。
【００２５】
図５は可動クリップ部材４の更に別の実施例を示している。図５に示される実施例では、可動クリップ部材４はＣ字状部材４ｃから構成される。図５に示されるように、筆記具本体１の物品収容空間５に対面する外周には環状の溝１ａが形成されており、この溝１ａ内にＣ字状部材４ｃが嵌着される。この場合、Ｃ字状部材４ｃの一対の自由端４ｃａは物品挿入空間５内に位置しており、不動クリップ部材３の内面３ｃに当接している。なお、Ｃ字状部材４ｃの自由端４ｃａの前端側には筆記具本体１から不動クリップ部材３に向かう傾斜面４ｃｂが形成されており、物品収容空間５内への物品の導入が容易にされている。
【００２６】
図６に示されるように、物品収容空間５の開口５ａから物品Ａが挿入されると、Ｃ字状部材４ｃが筆記具本体１に対し不動クリップ部材３から遠ざかる方向に移動される。その結果、Ｃ字状部材４ｃが筆記具本体１の外周に沿い弾性変形して拡開される。ユーザがＣ字状部材４ｃを指でつまんで不動クリップ部材３から遠ざかる方向に移動させた場合も同様である。このときＣ字状部材４ｃは復元ないし収縮しようとし、それによりＣ字状部材４ｃが不動クリップ部材３に向け付勢されるようになる。このＣ字状部材４ｃ自体の付勢力でもって、Ｃ字状部材４ｃの自由端４ｂａと不動クリップ部材３の内面３ｃとの間に物品Ａが把持される。
【００２７】
なお、Ｃ字状部材４ｃを不動クリップ部材３に向け付勢する付勢手段をＣ字状部材４ｃと別個に設けることもできる。
【００２８】
図７はクリップ２の別の実施例を示している。図７に示される実施例は、可動クリップ部材４が筆記具本体１に向けて付勢されている点で、これまでの実施例と基本的構成を異にしている。
【００２９】
可動クリップ部材４は図７に示される例では、図４の実施例と同様な平板状板バネ４ｄから構成される。また、平板状板バネ４ｄの後端部４ｄａは不動クリップ部材３に固定され、平板状板バネ４ｄの前端部４ｄｂは筆記具本体１に対し付勢された状態で物品収容空間５内に配置される。更に、平板状板バネ４ｄの前端部４ｄｂには筆記具本体１に向けて突出する凸部４ｄｃが形成される。一方、不動クリップ部材３には、物品収容空間５内に向けて開口する凹溝３ｄが形成される。
【００３０】
図８に示されるように、物品収容空間５の開口５ａから物品Ａが挿入されると、平板状板バネ４ｄの前端部４ｄｂが筆記具本体１から遠ざかる方向に弾性変形し、筆記具本体１に向かう平板状板バネ４ｄの付勢力でもって、平板状板バネ４ｄの前端部４ｄｂと筆記具本体１との間に物品Ａが把持される。この場合、平板状板バネ４ｄの一部が不動クリップ部材３の凹溝３ｄ内に収容されるので、平板状板バネ４ｄを不動クリップ３によって保護することができる。また、同時に、平板状板バネ４ｄが不動クリップ部材３に干渉するのが阻止され、平板状板バネ４ｄの移動可能量を大きくすることができる。
【００３１】
これまで述べてきた実施例では、不動クリップ部材３及び可動クリップ部材４は筆記具本体１に取り付けられている。しかしながら、不動クリップ部材３及び可動クリップ部材４をキャップに取り付けることもできる。あるいは、不動クリップ部材３及び可動クリップ部材４の一方を筆記具本体１に取り付け、他方をキャップに取り付けることもできる。当然、筆記具本体１又はキャップに一体的に取り付けられる部材に不動クリップ部材３及び可動クリップ部材４を取り付けることもできる。また、筆記具筒体の断面は円形状に限られず、三角形状、四角形状、六角形状などにすることもできる。
【００３２】
従来のクリップではクリップ部材を可動させるのに十分な弾性を持たせなければならないため、材質やデザインの選択自由度が低い。これに対し、本発明では不動クリップ部材及び可動クリップ部材に種々の構成を採用できる。
【図面の簡単な説明】
【００３３】
【図１】本発明による実施例のクリップを備えた筆記具の（Ａ）上面図及び（Ｂ）側面図である。
【図２】図１の線ＩＩ−ＩＩに沿ってみた断面図である。
【図３】図１の実施例を説明するためのクリップの側面図である。
【図４】可動クリップ部材の別の実施例を示すクリップの側面図である。
【図５】可動クリップ部材の更に別の実施例を示すクリップの（Ａ）側面図及び（Ｂ）線Ｂ−Ｂに沿ってみた断面図である。
【図６】可動クリップ部材の別の実施例を説明するための図５（Ｂ）と同様の断面図である。
【図７】本発明による別の実施例のクリップの側面図である。
【図８】図７の実施例を説明するためのクリップの側面図である。
【符号の説明】
【００３４】
１    筆記具本体
２    クリップ
３    不動クリップ部材
３ｄ    凹溝
４    可動クリップ部材
４ａ    Ｕ字状板バネ
４ｂ    平板状板バネ
４ｃ    Ｃ字状部材
４ｄ    平板状板バネ
５    物品収容空間
【図１】
2008238663.tif 000003
【図２】
2008238663.tif 000004
【図３】
2008238663.tif 000005
【図４】
2008238663.tif 000006
【図５】
2008238663.tif 000007
【図６】
2008238663.tif 000008
【図７】
2008238663.tif 000009
【図８】
2008238663.tif 000010